(57)【要約】【課題】フェースプレート部に対する粘弾性体の付着耐久性が良好であると共に、振動吸収効果に優れたゴルフクラブヘッドを提供する。【解決手段】フェースプレート部１１と、該フェースプレート部の裏側のキャビティ部１４と、ソール部１３とを有するアイアン型のゴルフクラブヘッド１であって、該フェースプレート部１１の背面に粘弾性体２０が付着されると共に、該粘弾性体２０に重なる銘板３０が設けられているゴルフクラブヘッド１において、粘弾性体２０はフェースプレート部１１のセンター部の背面に配置された盤状部２１と、該盤状部２１からトウ側及びヒール側にそれぞれ延在した延在部２２，２３とを有しており、前記銘板３０には、該粘弾性体２０の盤状部２１を収容した凹所３１と、延在部２２，２３を収容した凹条３２，３３とが設けられている。【選択図】図１
2013022056.tif 000002
【特許請求の範囲】
【請求項１】
ボールをヒットするためのフェースプレート部と、該フェースプレート部の裏側のキャビティ部と、ソール部と、シャフトを連結するためのホゼル部とを有するアイアン型のゴルフクラブヘッドであって、
該フェースプレート部の背面に粘弾性体が付着されると共に、該粘弾性体に重なる銘板が設けられているゴルフクラブヘッドにおいて、
前記粘弾性体は、前記フェースプレート部のセンター部の背面に配置された盤状部と、該盤状部からトウ側及びヒール側にそれぞれ延在した延在部とを有しており、
前記銘板には、該粘弾性体の盤状部を収容した凹所と、延在部を収容した凹条とが設けられていることを特徴とするゴルフクラブヘッド。
【請求項２】
請求項１において、延在部の先端面は、銘板の周縁部に設けられた壁部によって覆われていることを特徴とするゴルフクラブヘッド。
【請求項３】
請求項１又は２において、該粘弾性体及び銘板は、接着剤または粘着剤によってフェースプレート部背面に貼着されていることを特徴とするゴルフクラブヘッド。
【請求項４】
請求項１ないし３のいずれか１項において、前記銘板は、厚さ０．２〜０．４ｍｍの金属からなることを特徴とするゴルフクラブヘッド。
【請求項５】
請求項１ないし４のいずれか１項において、前記ソール部のトウ側及びヒール側にそれぞれ上方に向って凸となる山部が設けられ、該山部同士の間が谷部となっており、
該山部からフェースプレート部の背面に向って下り勾配の傾斜面となっていることを特徴とするゴルフクラブヘッド。
【請求項６】
請求項５において、前記フェースプレート部の背面の最下縁とソール面との距離は、センター部からトウ側及びヒール側に向って徐々に大きくなっていることを特徴とするゴルフクラブヘッド。
【発明の詳細な説明】
【技術分野】
【０００１】
本発明はアイアン型のゴルフクラブヘッドに係り、特にフェースプレート部の背面に粘弾性体が付着配置されたゴルフクラブヘッドに関する。
【背景技術】
【０００２】
アイアン型ゴルフクラブヘッドは、ボールをヒットするためのフェースプレート部と、ソール部及びホゼル部とを少なくとも備えている。このホゼル部にシャフトを差し込んで固着することによりゴルフクラブとする。
【０００３】
このゴルフクラブでボールをヒットしたときにゴルフクラブヘッドに生じる衝撃や振動を吸収するために、ゴルフクラブヘッドにゴム等の粘弾性材料を付着させたり、ゴルフクラブヘッドの空所内に内蔵させたりすることがある。
【０００４】
特表平６−５１０６８９（特許２６６１７９６）には、フェースプレート部の背面に長径４５ｍｍ、短径１８ｍｍ、厚さ１ｍｍの楕円形のブチルゴム等よりなる粘弾性体を接着すると共に、この粘弾性体の上に厚さ１ｍｍのアルミニウム亜鉛マグネシウム合金製銘板を接着することが記載されている。
【０００５】
上記特許文献１では、そのＦｉｇ．４，５に見られる通り、粘弾性板と硬質板とは同一の大きさとなっている。このため、粘弾性板の端面の全体が大気に露呈しており、水分や紫外線などによって粘弾性板が劣化したり、粘弾性板がフェースプレート部背面から剥れ易くなる。また、この粘弾性板は、フェースプレート部側のみから伝播する振動を吸収するため、振動吸収作用が不足することがある。
【０００６】
特開２０１１−３０８３７には、かかる問題点を解決し、フェースプレート部に対する粘弾性板の付着耐久性が良好であると共に、振動吸収効果に優れたゴルフクラブヘッドとして、ボールをヒットするためのフェースプレート部と、ソール部と、シャフトを連結するためのホゼル部とを有するアイアン型のゴルフクラブヘッドであって、該フェースプレート部の背面に粘弾性体が付着されると共に、該粘弾性体に重なる銘板が設けられているゴルフクラブヘッドにおいて、該銘板は、該粘弾性体の周囲に張り出す張出部を有しており、該張出部が前記フェースプレート部の背面に付着されていることを特徴とするゴルフクラブヘッドが提案されている。
【０００７】
この特許文献２のゴルフクラブヘッドにあっては、フェースプレート部の背面に粘弾性体が付着され、さらにこの粘弾性体を覆うように銘板が設けられている。この銘板は、粘弾性体の周囲に張り出す張出部を備えており、この張出部がフェースプレート部の背面に付着されている。従って、粘弾性体はこの銘板によって密閉状に覆われており、大気に露呈していない。このため、粘弾性体に水分が掛かったり、紫外線が直射することがなく、粘弾性体の耐久性及び粘弾性体のフェースプレート部背面への付着耐久性が良好である。
【０００８】
また、特許文献２では、銘板の張出部がフェースプレート部に付着されているので、ボールヒット時（ショット時）にフェースプレート部の周縁部に生じた振動の一部が銘板を介して粘弾性体に伝播して吸収される。
【先行技術文献】
【特許文献】
【０００９】
【特許文献１】特表平６−５１０６８９
【特許文献２】特開２０１１−３０８３７
【発明の概要】
【発明が解決しようとする課題】
【００１０】
上記特許文献２では、粘弾性体がフェースプレート部の背面の中央部にのみ設けられているので、振動吸収効果に改良の余地があった。
【００１１】
本発明は、フェースプレート部に対する粘弾性体の付着耐久性が良好であると共に、振動吸収効果に優れたゴルフクラブヘッドを提供することを目的とする。
【課題を解決するための手段】
【００１２】
本発明のゴルフクラブヘッドは、ボールをヒットするためのフェースプレート部と、該フェースプレート部の裏側のキャビティ部と、ソール部と、シャフトを連結するためのホゼル部とを有するアイアン型のゴルフクラブヘッドであって、該フェースプレート部の背面に粘弾性体が付着されると共に、該粘弾性体に重なる銘板が設けられているゴルフクラブヘッドにおいて、前記粘弾性体は、前記フェースプレート部のセンター部の背面に配置された盤状部と、該盤状部からトウ側及びヒール側にそれぞれ延在した延在部とを有しており、前記銘板には、該粘弾性体の盤状部を収容した凹所と、延在部を収容した凹条とが設けられていることを特徴とするものである。
【００１３】
本発明では、延在部の先端面は、銘板の周縁部に設けられた壁部によって覆われていてもよい。
【００１４】
該粘弾性体及び張出部は、接着剤または粘着剤によってフェースプレート部背面に貼着されていることが好ましい。
【００１５】
前記銘板は、厚さ０．２〜０．４ｍｍの金属からなることが好ましい。
【００１６】
本発明では、ソール部のトウ側及びヒール側にそれぞれ上方に向って凸となる山部が設けられ、該山部同士の間が谷部となっており、該山部からフェースプレート部の背面に向って下り勾配の傾斜面となっていることが好ましい。この場合、フェースプレート部の背面の最下縁とソール面との距離は、センター部からトウ側及びヒール側に向って徐々に大きくなっていることが好ましい。
【発明の効果】
【００１７】
本発明のゴルフクラブヘッドにあっては、フェースプレート部の背面に粘弾性体が付着され、さらにこの粘弾性体を覆うように銘板が設けられている。この銘板は、センター部の凹所と、該凹所から延在する凹条とを有し、粘弾性体はこの凹所及び凹条に配置されており、粘弾性体の端面は全く又は殆ど大気に露呈していない。このため、粘弾性体に水分が掛かったり、紫外線が直射することがなく、粘弾性体の耐久性及び粘弾性体のフェースプレート部背面への付着耐久性が良好である。
【００１８】
また、本発明では、ボールヒット時（ショット時）にフェースプレート部の周縁部に生じた振動の一部が銘板を介して粘弾性体に伝播して吸収されるため、振動吸収効果に優れる。
【００１９】
本発明では、粘弾性体にトウ側及びヒール側の延在部を設けている。このため、フェースプレート部のヒール側又はトウ側でボールをヒットした場合の振動が、ヒットした部分の直近に位置する延在部で直ちに吸収されるので、振動吸収効果が高い。フェース面のうち盤状部及び延在部と重ならない位置（例えばフェース面のトウ側の上部や下部、ヒール側の上部や下部）でボールをヒットしたときの振動は、フェースプレート部だけでなく銘板の平坦部（凹所及び凹条以外の部分）をも介して粘弾性体に伝播して吸収される。
【００２０】
本発明では、フェースプレート部の背面の最下縁をセンター部からトウ側及びヒール側に向って徐々に大きくすることにより、銘板がソール部近傍にまで存在し、銘板の面積が大きいものとなる。これにより、フェース面のトウ側やヒール側の下部でボールをヒットしたときの振動が銘板を介して粘弾性体に伝播し易くなり、振動吸収効果が得られる。
【図面の簡単な説明】
【００２１】
【図１】実施の形態に係るゴルフクラブヘッドの後面側のソール側からの斜視図である。
【図２】図１のゴルフクラブヘッドの分解斜視図である。
【図３】図１のIII−III線に沿う断面図である。
【図４】図３の分解図である。
【図５】図１のＶ−Ｖ線に沿う断面図である。
【図６】図１のVI−VI線に沿う断面図である。
【図７】銘板及び粘弾性体の図２のVII−VII線に沿う断面図である。
【図８】フェースプレート部背面の断面図である。
【図９】図３のIX−IX線に沿う断面図である。
【発明を実施するための形態】
【００２２】
以下、第１図〜第８図を参照して実施の形態に係るゴルフクラブヘッドについて説明する。
【００２３】
ゴルフクラブヘッド１は、シャフト２の先端に取り付けられるものであり、ゴルフクラブヘッド本体１０と、このゴルフクラブヘッド本体１０のフェースプレート部１１の背面に付着された粘弾性体２０と、該粘弾性体２０に被さり、該フェースプレート部１１の背面に付着された銘板３０とを備えている。
【００２４】
ゴルフクラブヘッド本体１０は、フェースプレート部１１と、ホゼル部１２と、ソール部１３とを有している。フェースプレート部１１の後面側はキャビティ部１４となっている。キャビティ部１４は、トウ側からヒール側（プレーヤー側）にまで延在しており、ソール部１３と、トウ側凸部１５、トップ側凸部１６及びヒール側凸部１７とによって周囲が囲まれている。これらの凸部１５〜１７は、フェースプレート部１１の周縁から後方に起立している。フェースプレート部１１の背面は、凸部１５〜１７及びソール部１３の近傍を除いて平坦面となっている。
【００２５】
ソール部１３の上面部は、トウ側の山部１８とヒール側の山部１９と、山部１８，１９間の谷部１３ａとからなっている。
【００２６】
山部１８，１９の頂部のソール面からの高さは、谷部１３ａのソール面からの高さよりも５〜２０ｍｍ特に６〜１０ｍｍ高いものとなっている。
【００２７】
山部１８，１９のフェースプレート部１１側の面は、フェースプレート部１１に向って下り勾配の斜面１８ａ，１９ａとなっている。第９図の通り、フェースプレート部１１の背面の最下縁すなわちキャビティ部１４のボトム部１４ａはトウ側１４ｔ及びヒール側１４ｈからセンター部（トウ・ヒール方向の中間部）１４ｃに向って緩やかな下り勾配となっている。
【００２８】
即ち、ボトム部１４ａとソール面との距離は、センター部１４ｃにおいて最も小さく、該センター部１４ｃからヒール側１４ｈ及びトウ側１４ｔにかけて徐々に大きくなっている。
【００２９】
この実施の形態では、ソール部１３のトウ側及びヒール側の底面（ソール面）に凹穴４０，４１（第２図）が設けられており、各凹穴４０，４１の奥部にゴム又はエラストマーよりなる振動吸収材４２，４３が充填されている。凹穴４０，４１の入口部は、各凹穴４０，４１の奥部よりも開口面積が大きい拡大部となっており、この拡大部にタングステン、タングステン合金など比重が１０以上、より好ましくは、１２以上の高比重金属材よりなるウェイト材４４，４５が嵌着されている。このウェイト材４４，４５は、レーザー溶接、カシメなどによりゴルフクラブヘッド本体１０に固定されている。
【００３０】
振動吸収材４２，４３の材料としては、天然ゴムなどに臭化ブチルゴムやクロロブチルゴムを配合したゴム、ＮＢＲ（アクリロニトリルブタジエンゴム）、シリコンゴム、スチレン系エラストマー、オレフィン系エラストマー、ウレタン系エラストマー、エステル系エラストマー、アミド系エラストマーなどが例示されるが、中でもＮＢＲが好適である。
【００３１】
第２〜４図の通り、粘弾性体２０は、略々菱形の盤状部２１と、該盤状部２１からトウ側に延在するトウ側延在部２２と、盤状部２１からヒール側に延在するヒール側延在部２３とを有する。盤状部２１の中央には第１凸部２１ａが存在し、該第１凸部２１ａを取り巻くように第１凹部２１ｂが設けられ、該第１凹部２１ｂを取り巻くように第２凸部２１ｃが設けられ、該第２凸部２１ｃを取り巻くように第２凹部２１ｄが設けられ、該第２凹部２１ｄを取り巻くように第３凸部２１ｅが設けられ、該第３凸部２１ｅを取り巻くように最外周の薄板部２１ｆが設けられている。
【００３２】
トウ側延在部２２及びヒール側延在部２３は盤状部２１の上部に連なり、それぞれトウ側及びヒール側に延在している。トウ側延在部２２は、銘板３０のトウ側にまで達する長さを有している。ヒール側延在部２３は銘板３０のヒール側にまで達する長さを有している。
【００３３】
粘弾性体２０の材料は粘弾性を有するゴム又はエラストマーが好適である。このゴム又はエラストマーの好適な材料としては、上記振動吸収材４２，４３と同様の材料が例示され、中でもＮＢＲが好適である。
【００３４】
粘弾性体２０の盤状部２１の平均厚みは０．５〜２．５ｍｍ特に０．８〜１．５ｍｍ程度が好適である。盤状部２１の上下長さは１０〜３０ｍｍ特に１８〜２８ｍｍ程度が好適であり、最大左右幅は１５〜３５ｍｍ特に２０〜３０ｍｍ程度が好適である。
【００３５】
トウ側延在部２２及びヒール側延在部２３の幅（長手方向と直交方向の幅）は３〜８ｍｍ程度が好適であり、平均厚みは０．２〜２．０ｍｍ特に０．５〜１．５ｍｍが好適である。
【００３６】
銘板３０は、フェースプレート部１１の背面の全体に、すなわちトウ側からヒール側まで、またトップ側からソール側まで広がる大きさを有している。この銘板３０のトウ・ヒール方向の中間部には、粘弾性体２０が嵌合する形状及び大きさの凹所３１が設けられている。
【００３７】
この凹所３１の中央には、第４図の通り、第１凸部２１ａ、第１凹部２１ｂ及び第２凸部２１ｃが入り込んだ開口３５が設けられている。該開口３５を取り巻いて、第３凸部２１ｅが嵌合する凹条３６が設けられている。
【００３８】
凹所３１の上部からトウ側及びヒール側に向って延在するようにトウ側凹条３２とヒール側凹条３３とが設けられている。これらの凹条３２，３３に粘弾性体２０のトウ側延在部２２及びヒール側延在部２３が嵌合する。なお、凹条３２，３３は銘板３０の周縁部にまで達しているが、第７，８図の通り、銘板３０の周縁部には凹条３２，３３を閉鎖する壁部３４が設けられている。
【００３９】
トウ側凹条３２は銘板３０のトウ側の側縁部の上下方向の中間付近に位置し、ヒール側凹条３３は銘板３０のヒール側の側縁部の上下方向の中間付近に位置する。
【００４０】
銘板３０は、凹部３１及び凹条３２，３３を除いて平坦である。この平坦部分には、図示は省略するが、種々の文字、図形、記号を表わすように凹凸模様が設けられている。
【００４１】
凹所３１及び凹条３２，３３に粘弾性体２０が嵌合した状態において、粘弾性体２０及び銘板３０のフェースプレート部１１側の面は面一状となる。
【００４２】
この銘板３０としては、厚さが０．２〜０．４ｍｍ特に約０．３ｍｍ程度の金属材よりなるものが好ましい。
【００４３】
この銘板３０は、メッキ技術を応用した成型方法である電鋳法、又はプレス成形により製造したものであることが好ましい。
【００４４】
電鋳法により銘板３０を製造する場合の金属としては、銅、ニッケル、クロム、亜鉛、金、銀、ロジウム、ニッケルリン合金などが好適であるが、特に、ニッケルが好適である。この電鋳法により銘板３０を製造する場合においては、これらの金属よりなる基材の表面に対して、基材に用いた金属よりも硬い金属によるメッキ処理を行うことが好ましく、例えば、ニッケルよりなる基材の表面に対して、クロムによるメッキ処理を行うことが好ましい。このメッキ処理を行うことにより、銘板３０が傷付きにくいものとなる。また、基材に対して部分的にメッキ処理を施すことにより、基材の色合いを変えてもよい。
【００４５】
プレス成型により銘板３０を製造する場合の金属としては、延性があるアルミニウム、アルミニウム合金、チタニウム、チタニウム合金や、錆びにくいステンレス鋼が好適である。アルミニウム、アルミニウム合金、チタニウム、チタニウム合金に対しては、陽極酸化処理を施すことが好ましい。
【００４６】
この銘板３０の凹所３１及び凹条３２，３３に対し粘弾性体２０の盤状部２１及び延在部２２，２３を嵌合させ、両面テープなどの粘着剤又は接着剤によってフェースプレート部１１の背面に貼着する。
【００４７】
このゴルフクラブヘッド１のホゼル部１２にシャフトを差し込み、接着剤によって固定することにより、ゴルフクラブ（アイアン）とされる。
【００４８】
このゴルフクラブヘッド１にあっては、フェースプレート部１１の背面に粘弾性体２０が付着され、さらにこの粘弾性体２０を覆うように銘板３０が設けられている。この粘弾性体２０の延在部２２，２３の先端面は銘板３０の壁部３４によって覆われている。従って、粘弾性体２０のすべての端面はこの銘板３０によって密閉状に覆われており、大気に露呈していない。このため、粘弾性体２０とフェースプレート部１１の背面との付着面に対して水分が掛かったり、紫外線が直射することがなく、粘弾性体２０の耐久性及び粘弾性体２０のフェースプレート部１１の背面への付着耐久性が良好である。なお、延在部２２，２３の先端面の面積は小さいので、壁部３４が省略されても付着耐久性には殆ど影響がない。
【００４９】
この実施の形態では、粘弾性体２０の盤状部２１の凸部２１ａ，２１ｃ及び凹部２１ｂは大気に露呈しているが、仮にこの部分に水がかかっても、この水は粘弾性体２０とフェースプレート部１１との付着面にまで回り込むことはない。
【００５０】
この実施の形態では、銘板３０に設けた凹所３１に粘弾性体２０の盤状部２１の凸部２１ｅがぴったりと嵌合しており、粘弾性体がフェースプレート部背面に対ししっかりと保持されたものとなっている。また、凹所３１及び凹条３２，３３以外を平坦としているので、銘板３０をフェースプレート部１１に対ししっかりと付着保持させることができる。
【００５１】
この実施の形態では、粘弾性体２０にトウ側及びヒール側の延在部２２，２３を設けているので、フェースプレート部１１のヒール側又はトウ側でボールをヒットした場合の振動が、ヒットした部分の直近に位置する延在部２２，２３で直ちに吸収されるので、振動吸収効果が高い。なお、フェース面のうち盤状部２１及び延在部２２，２３と重ならない位置（例えばフェース面のトウ側の上部や下部、ヒール側の上部や下部）でボールをヒットしたときの振動は、フェースプレート部１１だけでなく銘板３０の平坦部（凹所３１及び凹条３２，３３以外の部分）をも介して粘弾性体２０に伝播して吸収される。
【００５２】
本発明では、フェースプレート部１１の背面のボトム部がトウ側からヒール側にかけての全域で深くソール側に食い込んでおり、銘板３０の下縁がソール部１３の近傍にまで存在し、銘板３０の面積が大きい。従って、フェース面のトウ側やヒール側の下部でボールをヒットしたときの振動が銘板３０を介して粘弾性体２０に伝播し易く、振動吸収効果に優れる。
【００５３】
この実施の形態で用いた粘弾性体２０の盤状部２１は、凸部２１ａ，２１ｃ，２１ｅの部分が肉厚部となっており、凹部２１ｂ，２１ｄ及び薄板部２１ｆの部分が肉薄部となっているので、種々の周波数の振動を効果的に吸収することができる。
【００５４】
この粘弾性体２０及び銘板３０の付着に用いた粘着剤又は接着剤がフェースプレート部１１の背面に沿う方向（面内方向）の振動を吸収する作用も奏する。なお、カバープレート３０は、凹部３１及びトウ側凹条３２及びヒール側凹条３３を設けることにより、カバープレートが薄くても、プレートの剛性を高めることが出来る。特にトウ側凹条３２及びヒール側凹条３３を設けることにより、カバープレート３０のトウからヒール側方向の剛性を高めることができる。
【００５５】
上記実施の形態は本発明の一例であり、本発明は図示以外の態様とされてもよい。例えば、粘弾性体２０及び銘板３０の形状は図示以外とされてもよい。銘板３０の開口３５は省略され、粘弾性体２０の背面の全体が銘板３０で覆われていてもよい。
【符号の説明】
【００５６】
１  ゴルフクラブヘッド
２  シャフト
１０  ゴルフクラブヘッド本体
１１  フェースプレート部
１２  ホゼル部
１３  ソール部
１４  キャビティ部
１５  トウ側凸部
１６  トップ側凸部
１７  ヒール側凸部
２０  粘弾性体
２１  盤状部
２２，２３  延在部
３０  銘板
３１  凹所
３２，３３  凹条
３５  開口
４０，４１  凹穴
４２，４３  振動吸収材
４４，４５  ウェイト材
【図１】
2013022056.tif 000003
【図２】
2013022056.tif 000004
【図３】
2013022056.tif 000005
【図４】
2013022056.tif 000006
【図５】
2013022056.tif 000007
【図６】
2013022056.tif 000008
【図７】
2013022056.tif 000009
【図８】
2013022056.tif 000010
【図９】
2013022056.tif 000011